(57)【要約】【課題】別の部材を取り付けることなく、通常のカートンを製造する工程で製造することができ、内容物を収納した状態で外から内容物の一部を見せることができ、簡単に自立性を持たせることができる自立性カートンを提供することにある。【解決手段】本発明は、少なくとも前パネル、側パネル、後パネル、側パネル、天パネル、底パネルからなるブランクを折り曲げて形成してなるカートンであって、前パネルに窓部を設け、後パネルに切り起こして組み立てることにより衝立て具を形成することができる一対の衝立て部および支持部を部分折れ線と切り取り線により設けたことを特徴とする自立性カートンであり、衝立て部の部分折れ線を縦状に設け、支持部の部分折れ線を横状に設け、切り起こした衝立て部を切り起こした支持部の係止部に係止して衝立て具を形成することが可能なことを特徴としている。【選択図】図１
2005047522.tif 000002
【特許請求の範囲】
【請求項１】
少なくとも前パネル、側パネル、後パネル、側パネル、天パネル、底パネルからなるブランクを折り曲げて形成してなるカートンであって、
前記前パネルに窓部を設け、前記後パネルに切り起こして組み立てることにより衝立て具を形成することができる一対の衝立て部および支持部を部分折れ線と切り取り線により設けたことを特徴とする自立性カートン。
【請求項２】
前記衝立て部の前記部分折れ線を縦状に設け、前記支持部の前記部分折れ線を横状に設け、切り起こした前記衝立て部を切り起こした前記支持部の係止部に係止して前記衝立て具を形成することが可能なことを特徴とする請求項１に記載の自立性カートン。
【発明の詳細な説明】
【０００１】
【発明の属する技術分野】
本発明は、前パネルに窓部を設けた自立性カートンに関するものである。
【０００２】
【従来の技術】
従来より、偏平状のカートンは自立性に乏しく、そのため前パネルに窓部を設けて内容物の一部を外から見える形状のカートンにした場合でも、店頭などでのディスプレイ効果に欠けている。この偏平状のカートンを自立するために、別の部材を衝立て具として取り付けたりする種々の複雑な形態の自立カートンが工夫されて実用化されている（例えば、特許文献１参照。）。
【０００３】
【特許文献１】
特開平１０−２９１５２３号公報
【０００４】
【発明が解決しようとする課題】
しかしながら、従来のカートンでは、別の部材を使用するという煩雑さがあるため通常のカートンを製造する工程では製造することが困難であったり、製造するのに手間がかかる等の問題がある。
【０００５】
これらの課題に鑑み、本発明は、別の部材を取り付けることなく、通常のカートンを製造する工程で製造することができ、内容物を収納した状態で外から内容物の一部を見せることができ、簡単に自立性を持たせることができる自立性カートンを提供することを目的とするものである。
【０００６】
【課題を解決するための手段】
前記目的を達成するためになされた本発明は、少なくとも前パネル、側パネル、後パネル、側パネル、天パネル、底パネルからなるブランクを折り曲げて形成してなるカートンであって、前記前パネルに窓部を設け、前記後パネルに切り起こして組み立てることにより衝立て具を形成することができる一対の衝立て部および支持部を部分折れ線と切り取り線により設けたことを特徴とする自立性カートンであり、前記衝立て部の前記部分折れ線を縦状に設け、前記支持部の前記部分折れ線を横状に設け、切り起こした前記衝立て部を切り起こした前記支持部の係止部に係止して前記衝立て具を形成することが可能なことを特徴とするものである。
【０００７】
本発明によれば、カートンの後パネルに組み立てることにより衝立て具とすることができる一対の衝立て部と支持部を切り起こし可能に設けたことにより、通常のカートンを製造する工程で製造することができ、自立させるために別の部材を取り付けることなく内容物を収納した状態で外から内容物の一部を見せることができ、切り起こして簡単に組み立てて衝立て部を形成し自立性を持たせることができる自立性カートンを得ることができるものである。
【０００８】
【発明の実施の形態】
以下に、本発明の自立性カートンの実施の形態の一実施例について、図面を用いて説明する。なお、幾つかの図面において同一または同様な部分には同一の符号をつけている。
【０００９】
図１は、本発明の自立性カートンの自立している状態を示す前方および後方からの斜視図であり、図２は、本発明の自立性カートンの自立した状態の正面図、上面図、背面図および側面図であり、図３は本発明の自立性カートンのカートンブランクを示す展開図であり、図４は、本発明の自立性カートンの衝立て具を実際に組み立てる過程を示す説明図であり、そして、図５は、本発明の自立性カートンの別の実施例に内容物が充填された状態を示す斜視図である。
【００１０】
本発明の自立性カートンの一実施例である自立性カートン１は、図１の前方および後方から見た斜視図、および図２の正面図、上面図、背面図、側面図に示すように、カートン本体自体では自立し難い偏平状のカートンであり、前パネル１２に窓部２を設け外から内容物３の一部を見える形状とし、後パネル１４に切り取り線により設けた衝立て部１４ａ、１４ａおよび補強部１４ｂを切り起こして組み立てて衝立て具Ａを形成してカートンを自立させ、外から内容物３の一部を見やすくしてディスプレイ効果を持たせている。
【００１１】
図３は本発明による自立性カートン１のカートンブランクを示す展開図である。カートンブランク１０では、側パネル１１、前パネル１２、側パネル１３、後パネル１４、糊代１５が折れ線ａ、ｂ、ｃ、ｄを介して順次連設されている。また、側パネル１１の上辺に折れ線ｅを介して天折り込み片１６が連設され、前パネル１２の上辺に折れ線ｆを介して天パネル１７が連設され、その天パネル１７の上辺に折れ線ｇを介して天差し込み片１９が連設され、そして、側パネル１３の上辺に折れ線ｈを介して天折り込み片１８が連設されている。また同様に、側パネル１１の下辺に折れ線ｉを介して底折り込み片２０が連設され、前パネル１２の下辺に折れ線ｊを介して底パネル２１が連設され、その底パネル２１の下辺に折れ線ｋを介して底差し込み片２３が連設され、そして、側パネル１３の下辺に折れ線ｌを介して底折り込み片２２が連設されている。
【００１２】
また、前パネル１２には、内容物３を外から見えるようにする窓部２が設けられている。この窓部２の形状および大きさは、特に限定されるものではなく、本実施例の横型長方形以外に、円形、長円形、三角形等の多角形等とすることができる。また、窓部２には、透明プラスチックフィルムを貼り合わせることもできる。
【００１３】
また、後パネル１４には、切り起こして衝立て具Ａを組み立てるための衝立て部１４ａ、１４ａが部分折れ線ｍ、ｍの部分を残した切り取り線ｐ、ｐ、ｑ、ｑ、ｒ、ｒにより設けられ、そして、支持部１４ｂが部分折れ線ｎの部分を残した切り取り線ｒ、ｒ、ｓにより設けられている。この切り取り線ｐ、ｐ、ｑ、ｑ、ｒ、ｒ、ｓは、切り取り可能な線であり、全切れ刃による切れ線としているが、ミシン目としてもよい。全切れ刃による切れ線とする場合には、カートンの製造工程で切り取られることのないように、ツナギを適宜設けることが好ましい。また、この支持部１４ｂには、衝立て部１４ａを係止して保持するための凹状の係止部１４ｃ、１４ｃが設けられている。また、衝立て部１４ａ、１４ａを切り起こす部分折れ線ｍ、ｍは縦状に設けられ、支持部１４ｂを切り起こす部分折れ線ｎは衝立て部１４ａ、１４ａの部分折れ線ｍ、ｍ（詳しくは延長線上）に直交して横状に設けられている。
【００１４】
このカートンブランク１０を組み立てて内容物３を収納するには、まず、カートンブランク１０の側パネル１１、前パネル１２、側パネル１３、後パネル１４を折れ線ａ、ｂ、ｃ、ｄで内側に折り曲げて、糊代１５と側パネル１１を貼り合わせて筒状にし、折り畳んだ状態とする。この工程は、通常のカートンを製造する製函機で行なうことができる。このようにして、折り畳まれた状態の自立性カートン１が作成される。つぎに、充填包装機においてこの折り畳まれた自立性カートン１を起こして内容物３を収納して、天折り込み１６、１８を内側に折り込み、天パネル１７を内側に折り曲げ、同時に天差し込み片１９を後パネル１４の内側に差し込む。同様に、底折り込み２０、２２を内側に折り込み、底パネル２１を内側に折り曲げ、同時に底差し込み片２３を後パネル１４の内側に差し込んで、図４−ａに示すような自立する前の状態の自立性カートンを形成することができる。この工程も通常のカートンの充填包装と同様に行なうことができる。
【００１５】
実際に、内容物が収納された自立性カートン１を自立した状態にするには、まず、図４−ａに示すように、後パネル１４に設けた一対の衝立て部１４ａ、１４ａをそれぞれ切り取り線ｐ、ｐ、ｑ、ｑ、ｒ、ｒの部分で切り取り、部分折れ線ｍ、ｍの部分で外方にほぼ直角に折り曲げて切り起こす。つぎに、図４−ｂに示すように、後パネル１４に設けた支持部１４ｂを切り取り線ｓの部分で切り取り、部分折れ線ｎの部分で外方にほぼ直角に折り曲げて切り起こす。この時、図４−ｃに示すように、支持部１４ｂに設けた係止部１４ｃ、１４ｃに衝立て部１４ａ、１４ａをそれぞれ係止させることにより衝立て部１４ａ、１４ａが固定されて衝立て具Ａを組み立てることができる。この衝立て具Ａによって、図１に示すように、自立カートン本体は傾斜した状態で安定して保持される。
【００１６】
なお、上記であげた実施例のカートンの形態は、天パネルおよび底パネルに連設した差し込み片をそれぞれ後パネルの内側に差し込んでカートンを形成する所謂サック形式であるが、カートンの形態については特に限定されるものではなく、天パネルおよび底パネルが密封シールされるシールカートン形式、あるいは底パネルがロックされる形式等としてもよい。
【００１７】
また、本発明の自立カートン１に収納する内容物３は、特に限定されるものではないが、外に見せる内容物３の部分を前パネル１２の窓部２の位置に合わせるようにすることが好ましい。例えば、図に示すように、内容物３を保持する中仕切り４を使用し、内容物３を挿入して保持する位置を窓部２の位置に合わせるようにして自立性カートン１に収納する方法もある。
【００１８】
【発明の効果】
以上のように、本発明の自立性カートンでは、自立させるために別の部材を取り付けることがないので、材料コストを上げることなく通常のカートンを製造する工程で製造することができ、また、後パネルに部分折れ線と切り取り線により設けた衝立て部と支持部を切り起こして簡単に衝立て具を形成することができることから、簡単にカートンに自立性を持たせることができるという効果を有するものである。
【００１９】
すなわち、自立性があり、そして前パネルに設けた窓部から内容物を見せることができるというディスプレイ効果の高いカートンとすることができるという効果を有するものである。
【図面の簡単な説明】
【図１】本発明の自立性カートンの自立している状態を示す前方および後方からの斜視図である。
【図２】本発明の自立性カートンの自立した状態の正面図、上面図、背面図および側面図である。
【図３】本発明の自立性カートンのカートンブランクを示す展開図である。
【図４】本発明の自立性カートンの衝立て具を実際に組み立てる過程を示す説明図である。
【図５】本発明の自立性カートンの別の実施例に内容物が充填された状態を示す斜視図である。
【符号の説明】
１          自立性カートン
Ａ          衝立て具
２          窓部
３          内容物
４          中仕切り
１０          カートンブランク
１１          側パネル
１２          前パネル
１３          側パネル
１４          後パネル
１４ａ        衝立て部
１４ｂ        支持部
１４ｃ        係止部
１５          糊代
１６          天折り込み片
１７          天パネル
１８          天折り込み片
１９          天差し込み片
２０          底折り込み片
２１          底パネル
２２          底折り込み片
２３          底差し込み片
ａ〜ｌ        折れ線
ｍ、ｎ        部分折れ線
ｐ、ｑ、ｒ、ｓ  切り取り線
【図１】
2005047522.tif 000003
【図２】
2005047522.tif 000004
【図３】
2005047522.tif 000005
【図４】
2005047522.tif 000006
【図５】
2005047522.tif 000007